(57)【要約】【課題】重量運搬車やダンプカー等の大型車両が排出する排気ガス中に含まれる有害成分や悪臭を除去するのに有効であり、さらに板本体の表面に塗布した装飾のための各種の模様、色彩、絵、宣伝広告のための文字等の視認可能な表示要素をはげ落ちにくくし、繰り返し使用して、長期間、風雨にさらされても、その視認可能な表示要素を再塗布しなおさなくてもよく、揮発性有機化合物（ＶＯＣ）の発生の問題もない仮囲い板を提供する。【解決手段】板本体１の表裏面の少なくとも一方の面に、光触媒活性を有する塗膜４を形成したものとしている。さらに、板本体１の表面に視認可能な表示要素Ｐを塗布し、少なくともこの塗布面に、光触媒活性を有する塗膜４を形成したものとしている。また、板本体１の表裏面の少なくとも一方の面に、光触媒活性を有する塗膜４を形成したフィルム５を貼り替え自在として貼着したものとしている。【選択図】図２
2008291617.tif 000002
【特許請求の範囲】
【請求項１】
板本体（１）の表裏面の少なくとも一方の面に、光触媒活性を有する塗膜（４）を形成したことを特徴とする仮囲い板。
【請求項２】
板本体（１）の表面に視認可能な表示要素（Ｐ）を塗布し、少なくともこの塗布面に、光触媒活性を有する塗膜（４）を形成したことを特徴とする仮囲い板。
【請求項３】
板本体（１）の表裏面の少なくとも一方の面に、光触媒活性を有する塗膜（４）を形成したフィルム（５）を貼り替え自在として貼着したことを特徴とする仮囲い板。
【請求項４】
板本体（１）の表面に視認可能な表示要素（Ｐ）を塗布し、少なくともこの塗布面に、光触媒活性を有する塗膜（４）を形成したフィルム（５）を貼り替え自在として貼着したことを特徴とする仮囲い板。
【請求項５】
視認可能な表示要素（Ｐ）を塗布すると共にこの塗布面に光触媒活性を有する塗膜（４）を形成したフィルム（５）を、板本体（１）の表面に貼り替え自在として貼着したことを特徴とする仮囲い板。
【発明の詳細な説明】
【技術分野】
【０００１】
この発明は、建設現場や資材置場等で安全に作業をするために使用される仮囲い板に関するものである。
【背景技術】
【０００２】
建設現場や資材置場では、基礎工事期間中や資材の積み降ろし作業時等に騒音が発生し、この騒音が建設現場や資材置場を包囲する仮囲い板の外に洩れ、近隣住民や通行人に迷惑をかけるばかりでなく、建設現場や資材置場内でも騒音が仮囲い板に反射し、作業者に不快感を与えていた。
【０００３】
そのため、従来の仮囲い板として、例えば図７、８に示したように、板本体１１の裏面に軟質塩化ビニルシートよりなる防音材１２を設けたものが存在していた（特許文献１）。そして、この従来の仮囲い板は、建設現場や資材置場内で発生した騒音を、その板本体１１の裏面に設けた軟質塩化ビニルシートよりなる防音材１２によって極力、吸音するようにしていた。
【０００４】
さらに、建設現場や資材置場を包囲する仮囲い板は、鉄板やメッキ鋼板等からなり、金属光沢を有するが無模様であるため、その仮囲い板の傍を通る通行人とっては、冷たく感じられると共に、殺風景であった。
【０００５】
そのため、従来の仮囲い板として、装飾のための各種の模様、色彩、絵、宣伝広告のための文字等の視認可能な表示要素を、板本体の表面に塗布したものが存在していた（特許文献２、３）。そして、この従来の仮囲い板は、板本体の表面に塗布した前記視認可能な表示要素を、通行途中に通行人が自然に見てしまうことにより、冷たさ感や殺風景感をなくさせるようにしている。
【特許文献１】特開平６−２８８０９８号公報（第２頁、図１）
【特許文献２】特開２００３−１７６６３１号公報（第２頁、図１）
【特許文献３】実公平６−２８６１５号公報（第１頁、第１図）
【発明の開示】
【発明が解決しようとする課題】
【０００６】
ところで、建設現場や資材置場では、資材等を運搬するために重量運搬車やダンプカー等の大型車両が出入りするため、建設現場や資材置場内や近隣住区では排気ガスの排出量が増加し、これら排気ガス中に含まれる有害成分や悪臭によって、近隣住民や通行人に迷惑をかけるばかりでなく、作業者に不快感を与えていた。
【０００７】
しかしながら、上記従来の仮囲い板では、このような排気ガス中に含まれる有害成分や悪臭による近隣住民や通行人に対する迷惑や作業者の不快感にはまったく対処することができないという問題点を有していた。
【０００８】
さらに、上記従来の仮囲い板では、繰り返し使用されて、長期間、風雨にさらされると、板本体の表面に塗布した装飾のための各種の模様、色彩、絵、宣伝広告のための文字等の視認可能な表示要素は、はげ落ちてくるので、再塗布しなおさなければならず、コスト高になるという問題点を有していた。また、上記従来の仮囲い板の板本体の表面に前記視認可能な表示要素を再塗布するには、揮発性有機化合物（ＶＯＣ）の発生の問題もあり、その塗布作業を困難にしているという問題点を有していた。
【０００９】
そこで、この発明は、上記従来の問題点を解消するものであり、重量運搬車やダンプカー等の大型車両が排出する排気ガス中に含まれる有害成分や悪臭を除去するのに有効であり、さらに板本体の表面に塗布した装飾のための各種の模様、色彩、絵、宣伝広告のための文字等の視認可能な表示要素をはげ落ちにくくし、繰り返し使用して、長期間、風雨にさらされても、その視認可能な表示要素を再塗布しなおさなくてもよく、揮発性有機化合物（ＶＯＣ）の発生の問題もない仮囲い板を提供することを目的としてなされたものである。
【課題を解決するための手段】
【００１０】
そのため、この発明の仮囲い板は、板本体１の表裏面の少なくとも一方の面に、光触媒活性を有する塗膜４を形成したものとしている。
【００１１】
さらに、この発明の仮囲い板は、板本体１の表面に視認可能な表示要素Ｐを塗布し、少なくともこの塗布面に、光触媒活性を有する塗膜４を形成したものとしている。
【００１２】
また、この発明の仮囲い板は、板本体１の表裏面の少なくとも一方の面に、光触媒活性を有する塗膜４を形成したフィルム５を貼り替え自在として貼着したものとしている。
【００１３】
さらに、この発明の仮囲い板は、板本体１の表面に視認可能な表示要素Ｐを塗布し、少なくともこの塗布面に、光触媒活性を有する塗膜４を形成したフィルム５を貼り替え自在として貼着したものとしている。
【００１４】
また、この発明の仮囲い板は、視認可能な表示要素Ｐを塗布すると共にこの塗布面に光触媒活性を有する塗膜４を形成したフィルム５を、板本体１の表面に貼り替え自在として貼着したものとしている。
【発明の効果】
【００１５】
この発明の仮囲い板は、以上に述べたように構成されており、重量運搬車やダンプカー等の大型車両が排出する排気ガス中に含まれる有害成分や悪臭を除去するのに有効なものとなり、さらに板本体の表面に塗布した装飾のための各種の模様、色彩、絵、宣伝広告のための文字等の視認可能な表示要素がはげ落ちにくくなり、繰り返し使用して、長期間、風雨にさらされても、その視認可能な表示要素を再塗布しなおさなくてもよく、揮発性有機化合物（ＶＯＣ）の発生の問題もないものとなる。
【発明を実施するための最良の形態】
【００１６】
以下、この発明の仮囲い板の実施の形態を、図面に基づいて詳細に説明する。
【００１７】
この発明の仮囲い板は、図１に示したように、板本体１の両側端を内側に折り曲げてそれぞれ側面体２を形成し、必要に応じ、これら側面体２の上部、中央部、下部の適宜位置に一個または複数個の通孔３をそれぞれに設けたものとしている。さらに、前記板本体１の両側端には、図３に示したように、側面体２を折り曲げて嵌合部２ａを形成したものとしている。
【００１８】
そして、この発明の仮囲い板は、図６に示したように、建設現場や資材置場の外周に設けられた支持枠組１０の横枠１０ａに複数枚を沿わせて並べ、互いの側面体２を突き合わせ、これら側面体２に設けた通孔３を合致させ、その合致させた通孔３に番線Ｗを通し、これら番線Ｗをそれぞれ横枠１０ａに巻き付けることにより、支持枠組１０に取り付けることができるようにしている。
【００１９】
前記板本体１の表面には、必要に応じて、装飾のための各種の模様、色彩、絵、宣伝広告のための文字等の視認可能な表示要素Ｐを塗布したものとしている。さらに、この板本体１は、表裏面の少なくとも一方の面に、光触媒活性を有する塗膜４を形成したものとしている。そして、前記板本体１の表面に視認可能な表示要素Ｐを塗布した場合には、図２に示したように、少なくともこの塗布面に、光触媒活性を有する塗膜４を形成したものとしている。なお、前記塗膜４は、不透明なものにすると、板本体１の表面に視認可能な表示要素Ｐを塗布した場合には、この表示要素Ｐが見えなくなるので、透明なものにしている。
【００２０】
また、前記板本体１は、表裏面の少なくとも一方の面に、光触媒活性を有する塗膜４を形成したフィルム５を貼り替え自在として貼着したものとしてもよい。そして、前記板本体１の表面に視認可能な表示要素Ｐを塗布した場合は、図４に示したように、少なくともこの塗布面に、光触媒活性を有する塗膜４を形成したフィルム５を貼り替え自在として貼着したものとしている。なお、前記塗膜４およびフィルム５は、不透明なものにすると、板本体１の表面に視認可能な表示要素Ｐを塗布した場合には、この表示要素Ｐが見えなくなるので、透明なものにしている。
【００２１】
さらに、前記板本体１は、図５に示したように、視認可能な表示要素Ｐを塗布すると共にこの塗布面に光触媒活性を有する塗膜４を形成したフィルム５を、表面に貼り替え自在として貼着したものとすることもできる。なお、この場合、前記フィルム５は、透明なものとしても、不透明なものとしてもよいが、前記塗膜４は、表示要素Ｐが見えなくなるので、透明なものにしている。
【００２２】
前記板本体１としては、鉄板、亜鉛メッキ鋼板等の各種の金属板とすることができるが、金属板に限らず合成樹脂板とすることもできる。
【００２３】
前記塗膜４としては、ルチル型酸化チタン、アナターゼ型酸化チタン等の光触媒を含有させることにより光触媒活性を有するものとしている。なお、この塗膜４を透明なものにするには、アナターゼ型酸化チタンを主成分としてなるものが用いられるが、これに限定されるものではない。
【００２４】
前記フィルム５としては、エステル系樹脂フィルム、アクリル系樹脂フィルム、ポリカーボネート系樹脂フィルム等が用いられるが、これに限定されるものではない。
【００２５】
以上のように構成されたこの発明の仮囲い板は、有機物の分解、有害成分の除去、脱臭、抗菌、防汚等の光触媒機能を有するものとなり、板本体１の表裏面の少なくとも一方の面に、光触媒活性を有する塗膜４を形成したものでは、前記したように建設現場や資材置場の外周に設けられた支持枠組１０の横枠１０ａに複数枚を沿わせて並べて取り付けておくと、建設現場や資材置場を出入りする重量運搬車やダンプカー等の大型車両から排出される排気ガス中の有害成分や悪臭が除去されるものとなる。また、建設現場や資材置場の近隣地区の通行車両から排出される排気ガス中の有害成分や悪臭を除去するのにも役立つものとなる。
【００２６】
さらに、この発明の仮囲い板は、板本体１の表面に視認可能な表示要素Ｐを塗布したものでは、前記塗膜４による排気ガス中の有害成分や悪臭の除去と共に、塗膜４による抗菌や防汚の光触媒機能によって、板本体１が汚れにくいものとなるので、長期間、繰り返し使用しても、視認可能な表示要素Ｐが見にくくなることがなく、またこの塗膜４の存在によってその表示要素Ｐがはげ落ちることもなく、再塗布しなおさなくてもよくなる。さらに、再塗布しなおさなくてもよくなるので、ＶＯＣの発生の問題もないものとなる。
【００２７】
また、この発明の仮囲い板は、板本体１の表面に視認可能な表示要素Ｐを塗布した場合に、この板本体１の表面に光触媒活性を有する塗膜４を形成したフィルム５を貼着したものでは、長期間、繰り返し使用した結果、フィルム５が汚れて視認可能な表示要素Ｐが見にくくなったとしても、前記貼着したフィルム５を貼り替えればよく、その表示要素Ｐを再塗布しなおさなくてもよくなる。さらに、再塗布しなおさなくてもよくなるので、ＶＯＣの発生の問題もないものとなる。
【００２８】
さらに、この発明の仮囲い板は、視認可能な表示要素Ｐを塗布すると共にこの塗布面に光触媒活性を有する塗膜４を形成したフィルム５を、板本体１の表面に貼り替え自在として貼着したものでも、長期間、繰り返し使用した結果、フィルム５が汚れて視認可能な表示要素Ｐが見にくくなれば、前記貼着したフィルム５を貼り替えればよく、その表示要素Ｐを再塗布しなおさなくてもよくなる。さらに、再塗布しなおさなくてもよくなるので、ＶＯＣの発生の問題もないものとなる。
【図面の簡単な説明】
【００２９】
【図１】この発明の仮囲い板の一実施形態を示す斜視図である。
【図２】図１中のＡ−Ａ線によるこの発明の仮囲い板の拡大断面図である。
【図３】この発明の仮囲い板の他の実施形態を示す斜視図である。
【図４】図３中のＢ−Ｂ線によるこの発明の仮囲い板の拡大断面図である。
【図５】この発明の仮囲い板のさらに他の実施形態の拡大断面図である。
【図６】この発明の仮囲い板の使用状態を示す説明図である。
【図７】従来の仮囲い板の一例を示す斜視図である。
【図８】図７中のＣ−Ｃ線による従来の仮囲い板の拡大断面図である。
【符号の説明】
【００３０】
１  板本体
４  塗膜
５  フィルム
Ｐ  表示要素
【図１】
2008291617.tif 000003
【図２】
2008291617.tif 000004
【図３】
2008291617.tif 000005
【図４】
2008291617.tif 000006
【図５】
2008291617.tif 000007
【図６】
2008291617.tif 000008
【図７】
2008291617.tif 000009
【図８】
2008291617.tif 000010